(57)【要約】【課題】  飛距離を重視した第１打球面で打球する場合と、狙いを重視した第２打球面で打球する場合とで、ヘッド本体の地面に対する傾斜角度を略同一とし、何れの打球面で打球する場合もスイートスポットにボールを当て易くすることができるグラウンドゴルフ用クラブを提供する。【解決手段】  シャフト１と、ヘッド本体２と、硬質の材料から成る第１打球面３ａと、軟質の材料から成る第２打球面３ｂとを有したグラウンドゴルフ用クラブにおいて、第１打球面３ａで打球するときのシャフト１の垂直方向ｅに対する傾斜角度をα、第２打球面３ｂで打球するときのシャフト１の垂直方向ｅに対する傾斜角度をβとした場合、シャフト１がヘッド本体２の中心方向ａに対して第１打球面３ａから見て時計回りに角度γだけ傾斜して取り付けられ、当該取付角度γは、γ＝（α−β）／２なる演算式にて求められた値とされたものである。【選択図】図１
2006198173.tif 000002
【特許請求の範囲】
【請求項１】
基端側を競技者が把持し得る棒状のシャフトと、
該シャフト先端に形成され、少なくとも底面が左右対称形状とされた木製のヘッド本体と、
該ヘッド本体の正面に形成された硬質の材料から成る第１打球面と、
前記ヘッド本体の背面に形成され、前記第１打球面より軟質の材料から成る第２打球面と、
を有したグラウンドゴルフ用クラブにおいて、
前記シャフトは、前記ヘッド本体の中心方向に対し、前記第１打球面から見て時計回りに取付角度γだけ傾斜させつつ取り付けられるとともに、当該取付角度γは、
前記第１打球面で打球するときの前記シャフトの地面に対しての垂直方向に対する傾斜角度をα、前記第２打球面で打球するときの前記シャフトの地面に対しての垂直方向に対する傾斜角度をβとした場合、
γ＝（α−β）／２なる演算式にて求められた値とされたことを特徴とするグラウンドゴルフ用クラブ。
【請求項２】
前記第１打球面で打球するときと、第２打球面で打球するときの識別、又はスイートスポット位置の認識を競技者に行わせ得る表示が形成されたことを特徴とする請求項１記載のグラウンドゴルフ用クラブ。
【請求項３】
前記取付角度γが３°とされたことを特徴とする請求項１又は請求項２記載のグラウンドゴルフ用クラブ。
【発明の詳細な説明】
【技術分野】
【０００１】
本発明は、シャフトの先端にヘッド本体が形成されたグラウンドゴルフ用クラブに関するものである。
【背景技術】
【０００２】
グラウンドゴルフで使用されるクラブは、例えば日本グラウンドゴルフ協会（ＪＧＧＡ）の規則に従って設計製作されて成るものであり、従来、競技者が把持し得る棒状のシャフトと、該シャフト先端に形成された木製のヘッド本体と、該ヘッド本体の正面に形成されて打球し得る打球面と、ヘッド本体の下面を覆って形成された金属製のソールプレートとから主に構成されていた。
【０００３】
具体的には、上記従来のクラブは、ヘッド本体の正面にカーボン等から成る打球面を形成するとともに、当該ヘッド本体の上部に形成された取付穴にシャフト先端を挿通して嵌合させつつ接着剤やネジ等により互いを固定させていた。そして、シャフトの基端側を競技者が把持し、スイングしてヘッド本体のフェイスにて打球することにより、ボールを飛ばして所定のルールによる競技が行われていた。
【０００４】
ところで、本出願人は、従来より、左利きの競技者用、及び右利きの競技者用の両者が共通に使用できるとともに、ヘッド本体の正面と背面とで硬さが異なる打球面を有したグラウンドゴルフ用クラブを提案している（例えば、特許文献１参照）。かかるグラウンドゴルフ用クラブは、ヘッド本体の正面に形成されて飛距離を重視した硬質の材料から成る第１打球面と、ヘッド本体の背面に形成されて中距離短距離の狙い良さを重視した軟質の材料から成る第２打球面とを有し、シャフトが垂直方向に延びて構成されていた。
【特許文献１】特開２００４−２３０１１９号公報
【発明の開示】
【発明が解決しようとする課題】
【０００５】
しかしながら、上記従来のグラウンドゴルフ用クラブにおいては、ヘッド本体に対してシャフトが中心方向に延びていたので、以下の如き問題があった。即ち、飛距離を重視した第１打球面で打球する際、競技者はシャフトを垂直方向から大きく傾けて構えるのに対し、狙いを重視した第２打球面で打球する際は、シャフトを垂直方向から小さく傾けて構え、スイングするのが通常であるので、それぞれの打球時においてヘッド本体の地面に対する傾斜角度が異なってしまい、スイートスポットにボールを当て難くなっていたのである。
【０００６】
然るに、本出願人は、第１打球面による打球時と第２打球面による打球時のそれぞれにおける、競技者が構えるシャフトの傾斜角度を多数の競技者からデータを採り、それぞれの平均値を求め解析し、右利き競技者、左利き競技者の共通使用が犠牲になることもためらわず、第１打球面による打球及び第２打球面による打球の両方の場合において、スイートスポットにボールを当て易くすることを鋭意検討した。
【０００７】
本発明は、このような事情に鑑みてなされたもので、飛距離を重視した第１打球面で打球する場合と、狙いを重視した第２打球面で打球する場合とで、ヘッド本体の地面に対する傾斜角度を略同一とし、何れの打球面で打球する場合もスイートスポットにボールを当て易くすることができるグラウンドゴルフ用クラブを提供することにある。
【課題を解決するための手段】
【０００８】
請求項１記載の発明は、基端側を競技者が把持し得る棒状のシャフトと、該シャフト先端に形成され、少なくとも底面が左右対称形状とされた木製のヘッド本体と、該ヘッド本体の正面に形成された硬質の材料から成る第１打球面と、前記ヘッド本体の背面に形成され、前記第１打球面より軟質の材料から成る第２打球面とを有したグラウンドゴルフ用クラブにおいて、前記シャフトは、前記ヘッド本体の中心方向に対し、前記第１打球面から見て時計回りに取付角度γだけ傾斜させつつ取り付けられるとともに、当該取付角度γは、前記第１打球面で打球するときの前記シャフトの地面に対しての垂直方向に対する傾斜角度をα、前記第２打球面で打球するときの前記シャフトの地面に対しての垂直方向に対する傾斜角度をβとした場合、γ＝（α−β）／２なる演算式にて求められた値とされたことを特徴とする。
【０００９】
請求項２記載の発明は、請求項１記載のグラウンドゴルフ用クラブにおいて、前記第１打球面で打球するときと、第２打球面で打球するときの識別、又はスイートスポット位置の認識を競技者に行わせ得る表示が形成されたことを特徴とする。
【００１０】
請求項３記載の発明は、請求項１又は請求項２記載のグラウンドゴルフ用クラブにおいて、前記取付角度γが３°とされたことを特徴とする。
【発明の効果】
【００１１】
請求項１の発明によれば、飛距離を重視した第１打球面で打球する場合と、狙いを重視した第２打球面で打球する場合とで、ヘッド本体の地面に対する傾斜角度を略同一とし、何れの打球面で打球する場合もスイートスポットにボールを当て易くすることができる。
【００１２】
請求項２の発明によれば、前記第１打球面で打球するときと、第２打球面で打球するときの識別、又はスイートスポット位置の認識を競技者に行わせ得る表示が形成されたので、打球時における打球面の選択の誤りを防止でき、何れの打球面で打球する場合も確実にスイートスポットをボールに案内させることができる。
【００１３】
請求項３の発明によれば、取付角度γが３°とされたので、第１打球面による打球時と第２打球面による打球時のそれぞれにおける、競技者が構えるシャフトの傾斜角度を平均化して得られた値（α＝２０°、β＝１４°）を良好に適用することができ、飛距離を重視した第１打球面で打球する場合と、狙いを重視した第２打球面で打球する場合とで、ヘッド本体の地面に対する傾斜角度を略同一とし、何れの打球面で打球する場合もスイートスポットにボールを当て易くすることができる。
【発明を実施するための最良の形態】
【００１４】
以下、本発明の実施形態について図面を参照しながら具体的に説明する。
本実施形態に係るグラウンドゴルフ用クラブは、図１〜図３に示すように、棒状部材から成るシャフト１と、ヘッド本体２と、ヘッド本体２の正面に形成された第１打球面３ａと、ヘッド本体２の背面に形成された第２打球面３ｂと、金属材料から成り、ヘッド本体２の底面を覆ったソールプレート４とから主に構成されている。尚、シャフト１の基端側には、競技者が把持し得るグリップ部１ａが形成されているとともに、先端側にヘッド本体２が形成されている。
【００１５】
ヘッド本体２は、その底面を含む全体形状が左右対称形状とされた木製のものから成り、図２に示すように、取付穴２ａにシャフト１の先端を嵌合させ、ピンＰにて抜け止めが図られている。即ち、取付穴２ａは、予めドリル等による孔明け加工によりシャフト１先端側と略同一径に形成された穴であり、かかる取付穴２ａに接着剤等を塗布しておき、シャフト１の先端から挿通させて嵌合させることにより、ヘッド本体２にシャフト１が組み付けられている。
【００１６】
また、ヘッド本体２の上面には、図３に示すように、第１打球面３ａで打球するときと、第２打球面３ｂで打球するときの識別を競技者に行わせ得る識別表示５ａ、５ｂと、スイートスポットの位置を競技者に認識させ得るスイートスポット表示６ａ、６ｂとが形成されている。識別表示５ａ、５ｂ及びスイートスポット表示６ａ、６ｂは、印刷や刻印等にてヘッド本体２の上部に形成されており、打球の際、競技者がこれら表示を目印として、打球面の識別及びスイートスポットの認識を行うことができる。従って、これら表示により、打球時における打球面の選択の誤りを防止でき、何れの打球面で打球する場合も確実にスイートスポットをボールに案内させることができる。
【００１７】
第１打球面３ａは、カーボンシート又はグラスファイバーシートの積層材等、硬質の材料から成り、第１打など飛距離を重視した打球時に使用される面であるとともに、第２打球面３ｂは、硬度Ｃスケールで６０程度のウレタン材等、第１打球面３ａより軟質の材料から成り、第２打以降の中距離短距離における狙い良さを重視した打球時に使用される面である。
【００１８】
ここで、本実施形態に係るグラウンドゴルフ用クラブは、図１及び図２に示すように、シャフト１がヘッド本体２の中心方向ａに対して、第１打球面３ａから見て時計回りに取付角度γだけ傾斜させつつ取り付けられている。即ち、取付穴２ａを中心方向ａに対して角度γ傾斜させて形成し、この取付穴２ａにシャフト１の先端を嵌合させることにより、棒状のシャフト１の延設方向ｂがヘッド本体２の中心方向ａに対して所定角度（取付角度）γだけ傾斜するよう構成されているのである。
【００１９】
かかるヘッド本体２に対するシャフト１の取付角度γは、以下の如く設定されている。即ち、第１打球面３ａで打球するときのシャフト１の垂直方向ｅに対する傾斜角度をα（図４参照）、第２打球面３ｂで打球するときのシャフト１の垂直方向ｅに対する傾斜角度をβ（図５参照）とした場合、ヘッド本体２の中心方向に対するシャフト１の取付角度γ（第１打球面３ａから見て時計回り）が、γ＝（α−β）／２なる演算式にて求められた値とされている。
【００２０】
然るに、飛距離を重視した第１打球面３ａで打球する場合のシャフト１の傾斜角度α（垂直方向ｅに対する傾斜角度）と、狙いを重視した第２打球面３ｂで打球する場合のシャフト１の垂直方向ｅに対する傾斜角度βとを多数の競技者からデータを取り、それぞれの平均値を求めたところ、傾斜角度αが略２０°、傾斜角度βが略１４°であった。従って、これらαとβとを上記演算式に代入して取付角度γを求めると、γが３°となるため、本実施形態においては、ヘッド本体２の中心方向ａに対して３°だけ傾斜させつつシャフト１がヘッド本体２に取り付けられている。
【００２１】
因みに、シャフト１は、ヘッド本体２の中心方向ａに対して第１打球面３ａから見て取付角度γだけ時計回りに傾斜して延設しているということは、第１打球面３ａから見てヘッド本体２が、シャフト１の延設方向ｂに対して取付角度γだけ反時計回りに傾斜するとともに、第２打球面３ｂから見てヘッド本体２が、シャフト１の延設方向ｂに対して取付角度γだけ時計回りに傾斜することとなっている。
【００２２】
上記実施形態によれば、飛距離を重視した第１打球面３ａで打球する場合、図４に示すように、シャフト１が垂直方向ｅに対して時計回りに角度α（２０°）だけ傾斜する一方、ヘッド本体２は、シャフト１に対して取付角度γ（３°）だけ反時計回りに傾斜しており、α（２０°）とγ（３°）の差（１７°）だけヘッド本体２が傾斜した状態とされる。また、狙いを重視した第２打球面３ｂで打球する場合、図５に示すように、シャフト１が垂直方向ｅに対して時計回りに角度β（１４°）だけ傾斜する一方、ヘッド本体２は、シャフト１に対して取付角度γ（３°）だけ時計回りに傾斜しており、α（１４°）とγ（３°）の和（１７°）だけヘッド本体２が傾斜した状態とされる。
【００２３】
従って、第１打球面３ａで打球する場合、及び第２打球面３ｂで打球する場合の双方において、ヘッド本体２の地面に対する傾斜角度Ａ（１７°）を同一とすることができ、何れの打球面で打球する場合もスイートスポットにボールＢを当て易くすることができる。また、本実施形態によれば、取付角度γが３°とされたので、第１打球面３ａによる打球時と第２打球面３ｂによる打球時のそれぞれにおける値（多数の競技者からデータを取ってそれぞれの平均値を求めた傾斜角度αが略２０°、傾斜角度βが略１４°）を良好に適用することができ、上記効果を奏することができる。
【００２４】
以上、本実施形態について説明したが、本発明はこれに限定されるものではなく、例えば取付角度γが、γ＝（α−β）／２なる演算式にて求められた値に設定されていれば、第１打球面３ａで打球するときのシャフト１の垂直方向に対する傾斜角度α、第２打球面３ｂで打球するときのシャフト１の垂直方向に対する傾斜角度βが他の値とされ、従って取付角度γも３°とは異なる値のものであってもよい。
【産業上の利用可能性】
【００２５】
シャフトが、ヘッド本体の中心方向に対し、第１打球面から見て時計回りに取付角度γだけ傾斜させつつ取り付けられるとともに、当該取付角度γは、第１打球面で打球するときのシャフトの地面に対しての垂直方向に対する傾斜角度をα、第２打球面で打球するときのシャフトの地面に対しての垂直方向に対する傾斜角度をβとした場合、γ＝（α−β）／２なる演算式にて求められた値とされたグラウンドゴルフ用クラブであれば、外観形状が異なるもの或いは他の機能が付加されたものにも適用することができる。
【図面の簡単な説明】
【００２６】
【図１】本発明の実施形態に係るグラウンドゴルフ用クラブを示す正面図、右側面図及び背面図
【図２】同グラウンドゴルフ用クラブにおけるヘッド本体等シャフト先端側の構成を示す斜視図
【図３】同グラウンドゴルフ用クラブにおけるヘッド本体を示す上面図
【図４】同グラウンドゴルフ用クラブを使用する状態であって、飛距離を重視した第１打球面で打球する場合を示す模式図
【図５】同グラウンドゴルフ用クラブを使用する状態であって、狙いを重視した第２打球面で打球する場合を示す模式図
【符号の説明】
【００２７】
１    シャフト
２    ヘッド本体
２ａ  取付穴
３ａ  第１打球面
３ｂ  第２打球面
４    ソールプレート
５ａ、５ｂ  識別表示
６ａ、６ｂ  スイートスポット表示
ａ    ヘッド本体の中心方向
ｂ    シャフトの延設方向
ｅ    地面に対しての垂直方向
α    第１打球面で打球するときのシャフトの垂直方向ｅに対する傾斜角度
β    第２打球面で打球するときのシャフトの垂直方向ｅに対する傾斜角度
【図１】
2006198173.tif 000003
【図２】
2006198173.tif 000004
【図３】
2006198173.tif 000005
【図４】
2006198173.tif 000006
【図５】
2006198173.tif 000007